(57)【要約】【課題】例えばビニールハウスのような長尺の建造物の屋根等に施工する場合に、設置の労力が小さく、また、少ない資材で設置することのできる足場を提供すること。【解決手段】施工対象である建造物９の外周を囲んで移動可能な足場であって、建造物９の長手方向を棟方向と呼び、この棟方向に直交する方向を間口方向と呼ぶとき、建造物９の両側面に沿って設けられ棟方向と平行に延びる一対の側レール２１，２２に案内されて移動可能な少なくとも一対の側脚部１１，１２と、少なくとも一対の側脚部１１，１２から建造物９の外周に沿って延び、建造物９の上方で結合することで、建造物９の間口から見た断面を囲むように設けられた足場部１４と、を備えた移動足場１を用いる。【選択図】図１
2017066845.tif 000002
【特許請求の範囲】
【請求項１】
施工対象である建造物の外周を囲んで移動可能な足場であって、前記建造物の長手方向を棟方向と呼び、この棟方向に直交する方向を間口方向と呼ぶとき、
前記建造物の両側面に沿って設けられ棟方向と平行に延びる一対の側レールに案内されて移動可能な少なくとも一対の側脚部と、
少なくとも一対の前記側脚部から前記建造物の外周に沿って延び、前記建造物の上方で結合することで、前記建造物の間口から見た断面を囲むように設けられた足場部と、を備えた移動足場。
【請求項２】
前記建造物の棟に沿ってその頂部に設けられた棟レールに案内されて移動可能な棟脚部を備え、前記足場部の上部がこの棟脚部によって支えられることを特徴とする請求項１記載の移動足場。
【請求項３】
一対の前記側レールが、前記建造物の両側面側に存在する地面に設けられた請求項１又は２記載の移動足場。
【請求項４】
一対の前記側レールが、それぞれ上側に凹みを備えたＣ型鋼である請求項１〜３のいずれか１項記載の移動足場。
【請求項５】
一対の前記側レールの一方が前記建造物の側面に接して設けられ、残りの前記側レールが前記建造物の側面側に存在する地面に設けられ、前記建造物の側面に設けられた側レールが下側に凹みを備えたＣ型鋼であり、少なくとも一対の前記側脚部のうちこのレールに案内される側脚部がこのレールの下側に沿って案内される請求項１又は２記載の移動足場。
【発明の詳細な説明】
【技術分野】
【０００１】
本発明は、移動足場に関する。
【背景技術】
【０００２】
近年、再生可能エネルギーへの評価が高まるにつれて太陽光発電への関心が高まっている。このような太陽光発電としては、住宅の屋根にソーラーパネルを設置する小規模のものから、いわゆるメガソーラー事業者のように、遊休地等にて複数のソーラーパネルを設置して発電を行うような大規模のものまで様々な態様のものが挙げられる。
【０００３】
このような中、いわゆるソーラーシェアリングという考え方のもと、例えば農地に設置されたビニールハウスの側面や屋根等にソーラーパネルを設置することで、農作物を育成しながら太陽光発電を行う試みもなされている（例えば、特許文献１や２を参照）。
【先行技術文献】
【特許文献】
【０００４】
【特許文献１】特開２０１０−２１３６３３号公報
【特許文献２】特開２０１０−１９３８３７号公報
【発明の概要】
【発明が解決しようとする課題】
【０００５】
建造物の壁面や屋根等にソーラーパネルを設置しようとすると高所作業のための足場が必要になるが、ビニールハウスのように長尺な建造物の場合、それを全て覆うように足場を組もうとすると膨大な量の足場資材が必要になるし、それを設置するための労力も大きなものになる。また、ソーラーパネルの表面に雪や埃が積もった場合には発電効率が著しく低下するのでこれを除去する必要があるが、そのような作業を行う度に大掛かりな足場を設置し、また作業後にそれを解体するのでは相当な労力を必要とすることになる。
【０００６】
本発明は以上の状況に鑑みてなされたものであり、例えばビニールハウスのような長尺の建造物の屋根等に施工する場合に、設置の労力が小さく、また、少ない資材で設置することのできる足場を提供することを目的とする。
【課題を解決するための手段】
【０００７】
本発明者は、以上の課題を解決するために鋭意検討を重ねた結果、施工対象となる建造物の両側面に沿って棟方向と平行に延びる一対のレールを設け、そのレールに案内されて移動可能な少なくとも一対の側脚部と、その側脚部から建造物の外周に沿って延び、建造物の上方で結合する足場部とを備えた移動足場を上記レールに沿って順次移動させて施工することにより、施工対象となる建造物の全体を覆うような足場を設ける必要がなくなり、足場設置の労力を著しく低減できることを見出した。本発明は、以上のような知見に基づいてなされたものであり、次のようなものを提供する。
【０００８】
（１）本発明は、施工対象である建造物の外周を囲んで移動可能な足場であって、上記建造物の長手方向を棟方向と呼び、この棟方向に直交する方向を間口方向と呼ぶとき、上記建造物の両側面に沿って設けられ棟方向と平行に延びる一対の側レールに案内されて移動可能な少なくとも一対の側脚部と、少なくとも一対の上記側脚部から上記建造物の外周に沿って延び、上記建造物の上方で結合することで、上記建造物の間口から見た断面を囲むように設けられた足場部と、を備えた移動足場である。
【０００９】
（２）また本発明は、上記建造物の棟に沿ってその頂部に設けられた棟レールに案内されて移動可能な棟脚部を備え、上記足場部の上部がこの棟脚部によって支えられることを特徴とする（１）項記載の移動足場である。
【００１０】
（３）また本発明は、一対の上記側レールが上記建造物の両側面側に存在する地面に設けられた（１）項又は（２）項記載の移動足場である。
【００１１】
（４）また本発明は、一対の上記側レールがそれぞれ上側に凹みを備えたＣ型鋼である（１）項〜（３）項のいずれか１項記載の移動足場である。
【００１２】
（５）また本発明は、一対の上記側レールの一方が上記建造物の側面に接して設けられ、残りの上記側レールが上記建造物の側面側に存在する地面に設けられ、上記建造物の側面に設けられた側レールが下側に凹みを備えたＣ型鋼であり、少なくとも一対の上記側脚部のうちこのレールに案内される側脚部がこのレールの下側に沿って案内される（１）項又は（２）項記載の移動足場である。
【発明の効果】
【００１３】
本発明によれば、例えばビニールハウスのような長尺の建造物の屋根等に施工する場合に、設置の労力が小さく、また、少ない資材で設置することのできる足場が提供される。
【図面の簡単な説明】
【００１４】
【図１】図１は、本発明の第一実施形態である移動足場１をビニールハウス９に適用した様子を示す斜視図である。
【図２】図２は、本発明の第一実施形態である移動足場１をビニールハウス９に適用した状態を示す正面断面図である。
【図３】図３は、本発明の第一実施形態である移動足場１をビニールハウス９に適用した状態を示す側面図である。
【図４】図４は、本発明の第一実施形態である移動足場１において右側レール２２に案内される右側脚部１２を示す斜視図である。
【図５】図５は、本発明の第二実施形態である移動足場１Ａをビニールハウス９Ａに適用した状態を示す正面断面図である。
【発明を実施するための形態】
【００１５】
［第一実施形態］
まずは、本発明の移動足場の第一実施形態について図面を参照しながら説明する。図１は、本実施形態の移動足場１をビニールハウス９に適用した様子を示す斜視図である。図２は、本実施形態の移動足場１をビニールハウス９に適用した状態を示す正面断面図である。図３は、本実施形態の移動足場１をビニールハウス９に適用した状態を示す側面図である。図４は、本実施形態の移動足場１において右側レール２２に案内される右側脚部１２を示す斜視図である。
【００１６】
本実施形態の移動足場１は、ビニールハウス９に対する施工における高所作業のための足場として用いられる。このような施工の一例としては、ビニールハウス９の組立、ビニールハウス９の側面や屋根の補修、ビニールハウス９の側面や屋根へのソーラーパネル（太陽電池モジュール）等といった機器の取り付け及びそのメンテナンス等を挙げることができる。施工対象となるビニールハウス９は、その屋根となる部分において長手方向に沿って最も高い部分となる頂部９１を備える。この頂部９１は棟と呼ばれ、本発明では、この棟に沿った方向、すなわちビニールハウス９の長手方向を棟方向と呼び、棟方向と直交する方向、すなわちビニールハウス９の幅方向を間口方向と呼ぶ。また、以下の説明において、左側とはビニールハウス９を正面視したときの左側を意味し、右側とはビニールハウス９を正面視したときの右側を意味する。
【００１７】
移動足場１は、施工対象であるビニールハウス９の外周に沿って移動可能である。すなわち、図１に示すように、移動足場１がビニールハウス９の外周を囲んだ状態で棟方向へ移動可能であることを意味する。このような移動を可能にするために、移動足場１は、施工対象であるビニールハウス９の両側面に沿って設けられ棟方向と平行に延びる一対の左側レール２１及び右側レール２２に案内されて移動可能な少なくとも一対の左側脚部１１及び右側脚部１２と、左側脚部１１及び右側脚部１２からビニールハウス９の外周に沿ってそれぞれ延び、ビニールハウス９の上方で結合することでビニールハウス９の間口から見た断面を囲むように設けられた足場部１４と、を備える。なお、左側レール２１及び右側レール２２をまとめて側レール２１及び２２とも呼び、左側脚部１１及び右側脚部１２をまとめて側脚部１１及び１２と呼ぶこともある。「少なくとも一対の側脚部１１及び１２」とは、図面を参照すれば理解できるように、ビニールハウス９の間口から見た際に、左側脚部１１と右側脚部１２とが左右に対をなしているということを表すものである。この対は、一対でもよいし、二以上の対であってもよい。
【００１８】
側レール２１及び２２は、ビニールハウス９の左側及び右側の地面に、ビニールハウス９の棟方向と平行になるようにそれぞれ設置される。左側レール２１は、地面に設置された左側レール基礎３１に結合され、その上方に設置される。右側レール２２は、地面に設置された右側レール基礎３２に結合され、その上方に設置される。側レール２１及び２２は、断面がコの字の形状をしたＣ型鋼が用いられ、その凹みとなる部分が上方を向いている。つまり、側レール２１及び２２として用いられるＣ型鋼は、上方に向けて開口するように設置される。この凹みは、後述する側脚部１１及び１２を移動可能に収容してこれを棟方向へ案内する。一例として右側レール２２及びこれに収容された右側脚部１２の様子を示したものが図４である。左側レール２１及びこれに収容された左側脚部１１の様子もこれと同様である。
【００１９】
左側レール基礎３１及び右側レール基礎３２としては、スクリュー杭が用いられる。周知のように、スクリュー杭には地面に刺す先端部分から末端部分に向けて螺旋状の羽根が設けられており、これを地面に向けて回転圧入することにより左側レール基礎３１及び右側レール基礎３２がそれぞれ形成される。スクリュー杭の末端にはボルト締結用の穴の形成されたフランジが設けられており、このフランジを介して側レール２１及び２２が結合される（図３及び図４を参照）。
【００２０】
側脚部１１及び１２は、足場部１４の下方に位置し、これを支える役割を担う。側脚部１１及び１２は、回転可能な車輪であり、上記のようにこれが側レール２１及び２２の凹みに収容されることで、側レール２１及び２２に沿って移動することができる。この移動により足場部１４が側レール２１及び２２に沿った方向、すなわちビニールハウス９の棟方向へ前後移動する。
【００２１】
左側脚部１１は、互いに離間して２個設けられる（図３を参照）。右側脚部１２も同様に互いに離間して２個設けられる。その結果、移動足場１は、下方に存在する４個の脚部によって支えられることになり自立可能となる。既に述べたように、側脚部１１及び１２は対をなしているが、本実施形態では側脚部１１及び１２がそれぞれ２個ずつ存在するので、側脚部１１及び１２が二対となる。
【００２２】
足場部１４は、作業者の足場となる部分であり、側脚部１１及び１２を起点としてビニールハウス９の外周に沿って延びている。そして、左側脚部１１から延びた足場部１４と、右側脚部１２から延びた足場部１４とがビニールハウス９の上方で結合して一体的な足場部１４となっている。その結果、足場部１４は、ビニールハウス９の間口から見た断面を囲むように設けられることになる（図２を参照）。なお、足場部１４がビニールハウス９の外周に沿って延びるとは、外周を囲むように延びるという意味であり、必ずしも外周の形状に沿ったものでなくてもよい。
【００２３】
足場部１４では、ビニールハウス９の側面側となる箇所に作業者の昇降のための梯子１４１が設けられ、ビニールハウス９の屋根側となる箇所に作業者の移動のための踏板（図示せず）が設けられる。なお、梯子１４１及び踏板（図示せず）は、離間して設けられた２つの左側脚部１１，１１、及び同じく離間して設けられた２つの右側脚部１２，１２の離間幅で設けられることになる。足場部１４の左側及び右側に設けられた梯子１４１の頂部同士はワイヤ１４２で結ばれており、このワイヤ１４２が作業者の安全帯に結合されることで作業者の高所作業における安全が確保される。
【００２４】
ビニールハウス９の屋根にて棟方向直線状に延びた頂部である棟９１には、棟レール４が形成されている。棟レール４には側レール２１及び２２と同様にＣ型鋼が用いられ、これは、その凹みとなる部分が上方を向いた状態で、棟９１を構成するビニールハウス９の骨組みに結合されている。その結果、棟レール４は、棟９１に沿って、側レール２１及び２２と平行に設けられることになる。上方を向いた棟レール４の凹みは、後述する棟脚部１３を移動可能に収容してこれを棟方向へ案内する。
【００２５】
棟脚部１３は、足場部１４の頂部下側に設けられ、これを支える役割を担う。その結果、足場部１４は、左側脚部１１、右側脚部１２及び棟脚部１３により三点で支えられることになり安定する。棟脚部１３は、回転可能な車輪であり、上記のようにこれが棟レール４の凹みに収容されることで、棟レール４に沿って移動することができる。側脚部１１及び１２と同様に、棟脚部１３もまた互いに離間して２個設けられる（図３を参照）。
【００２６】
左側脚部１１、右側脚部１２及び棟脚部１３が同時に同じ方向へ移動することにより、足場部１４が側レール２１及び２２に沿った方向、すなわちビニールハウス９の棟方向へ前後移動する。なお、このように足場部１４を移動させるに際しては、所望する方向へ人力で牽引すればよい。
【００２７】
本実施形態の移動足場１は、ビニールハウス９の両側面に沿って設けられ棟方向と平行に延びる一対の側レール２１及び２２に案内されて移動可能な少なくとも一対の側脚部１１及び１２と、側脚部１１及び１２からビニールハウス９の外周に沿って延び、ビニールハウス９の上方で結合することでビニールハウス９の間口から見た断面を囲むように設けられた足場部１４と、を備える。このため、ビニールハウス９のような長尺の建造物に何らかの施工を行う場合において、移動足場１を側レール２１及び２２に沿って順次移動させながら施工することができるので、施工対象となるビニールハウス９の全体を覆うような足場を設ける必要がなくなり、足場設置の労力を著しく低減できる
【００２８】
本実施形態の移動足場１は、ビニールハウス９の棟に沿ってその頂部９１に設けられた棟レール４に案内されて移動可能な棟脚部１３を備え、足場部１４の上部がこの棟脚部１３によって支えられることを特徴とする。このため、足場部１４が左側脚部１１、右側脚部１２及び棟脚部１３により三点で支えられることになり安定するので、より安全に高所作業を行うことができる。
【００２９】
本実施形態の移動足場１では、一対の側レール２１及び２２がビニールハウス９の両側面側に存在する地面に設けられている。そして、側レール２１及び２２は、それぞれ上側に凹みを備えたＣ型鋼である。このため、側レール２１及び２２に収容された側脚部１１及び１２がレールから逸脱することなく移動可能となる。また、側レール２１及び２２が入手しやすい工業製品であるＣ型鋼なので、材料コストも低減させることができる。
【００３０】
［第二実施形態］
次に、本発明の移動足場の第二実施形態について図面を参照しながら説明する。図５は、本実施形態の移動足場１Ａをビニールハウス９Ａに適用した状態を示す正面断面図である。本実施形態の移動足場１Ａは、上記第一実施形態の移動足場１が適用された両屋根形のビニールハウス９ではなく、正面視で右側半分が山形であり左形半分が地面に対して垂直な片屋根形のビニールハウス９Ａに適用される。なお、本実施形態の移動足場１Ａの説明では、上記第一実施形態の移動足場１の説明と重複する部分について同じ符号を付し、それについての説明を適宜省略する。
【００３１】
本実施形態の移動足場１Ａでは、一対である左側レール２１Ａ及び右側レール２２の一方である左側レール２１Ａが、ビニールハウス９Ａの側面のうち地面に対して垂直になっている左側側面に接して設けられている。したがって、左側レール２１Ａは、第一実施形態の移動足場１における左側レール２１のようにビニールハウス９Ａの側面側に存在する地面に設けられるのではなく、地面から離れた空中に設けられることになる。一方で、本実施形態の移動足場１Ａでは、右側レール２２がビニールハウス９Ａの右側面側に存在する地面に設けられる。したがって、右側レール２２は、第一実施形態の移動足場１と同様に、地面に設置された右側レール基礎３２に結合される。
【００３２】
上記のように、左側レール２１Ａは、ビニールハウス９Ａの左側側面に接して設けられる。このように左側レール２１Ａを設ける方法としては、左側側面に存在する支柱の適切な高さにて、支柱と垂直に交わるように左側レール２１Ａを固定する方法が挙げられる。左側レール２１Ａを固定する高さとしては、右側側面の肩部の高さ程度を挙げることができるが、特に限定されない。
【００３３】
左側レール２１Ａは、断面がコの字の形状をしたＣ型鋼が用いられ、その凹みとなる部分が下方を向いている。つまり、左側レール２１Ａとして用いられるＣ型鋼は、下方に向けて開口するように設置される。この凹みは、後述する左側脚部１１Ａを移動可能に収容してこれを棟方向へ案内する。移動足場１Ａでは、作業者が足場１４Ａの右側側面に設けられた梯子を用いて足場上部へ移動することになるが、左側脚部１１Ａがこのように収容されることにより、このような場面における右方向への移動足場１Ａの転倒が抑制されて安定する。
【００３４】
左側脚部１１Ａは、足場部１４Ａの左側下方に位置し、下向きに開口した左側レール２１Ａに移動可能に収容されることで、上記のように移動足場１Ａの転倒を抑制する。左側脚部１１Ａは、回転可能な車輪であり、左側レール２１Ａに収容されることで、左側レール２１Ａに沿って移動することができる。そして、これが右側脚部１２とともにビニールハウス９Ａの棟方向へ移動することで、移動足場１Ａはビニールハウス９Ａの棟方向へ前後移動する。左側脚部１１Ａと右側脚部１２とは少なくとも一対として設けられる。以下、これらをまとめて側脚部１１Ａ及び１２とも呼ぶ。「少なくとも一対の側脚部１１Ａ及び１２」とは、図５を参照すれば理解できるように、ビニールハウス９Ａの間口から見た際に、左側脚部１１Ａと右側脚部１２とが左右に対をなしているということを表すものである。この対は、一対でもよいし、二以上の対であってもよい。
【００３５】
左側脚部１１Ａは、第一実施形態の移動足場１と同様に、互いに離間して２個設けられる。右側脚部１２も同様に互いに離間して２個設けられる。その結果、移動足場１Ａは、左側に存在する２個の左側脚部１１Ａと、右側下方に存在する２個の右側脚部１２によって支えられることになる。第一実施形態の移動足場１と同様に移動足場１Ａも側脚部１１Ａ及び１２が対をなしているが、本実施形態では左側脚部１１Ａ及び右側脚部１２がそれぞれ２個ずつ存在するので、側脚部１１Ａ及び１２が二対となる。
【００３６】
足場部１４Ａは、作業者の足場となる部分であり、側脚部１１Ａ及び１２を起点としてビニールハウス９Ａの外周に沿って延びている。そして、左側脚部１１Ａから延びた足場部１４Ａと、右側脚部１２から延びた足場部１４Ａとがビニールハウス９Ａの上方で結合して一体的な足場部１４Ａとなっている。その結果、足場部１４Ａは、ビニールハウス９Ａの間口から見た断面を囲むように設けられることになる。なお、上記のように、左側脚部１１Ａはビニールハウス９Ａの左側側面の上方に設けられているので、足場部１４Ａはビニールハウス９Ａの間口から見た断面を完全に囲むわけではないが、このような場合であっても、本発明ではビニールハウス９Ａの間口から見た断面を囲むものとして扱う。また、足場部１４Ａがビニールハウス９Ａの外周に沿って延びるとは、外周を囲むように延びるという意味であり、必ずしも外周の形状に沿ったものでなくてもよい。
【００３７】
ビニールハウス９Ａの屋根にて棟方向直線状に延びた頂部である棟９１Ａには、棟レール４が形成される。棟レール４には側レール２１Ａ及び２２と同様にＣ型鋼が用いられ、これは、その凹みとなる部分が上方を向いた状態で、棟９１Ａを構成するビニールハウス９Ａの骨組みに結合されている。その結果、棟レール４は、棟９１Ａに沿って、側レール２１Ａ及び２２と平行に設けられることになる。上方を向いた棟レール４の凹みは、後述する棟脚部１３を移動可能に収容してこれを棟方向へ案内する。
【００３８】
上記第一実施形態の移動足場１と同様に、移動足場１Ａにも棟脚部１３が設けられる。棟脚部１３は、足場部１４Ａの頂部下側に設けられ、これを支える役割を担う。その結果、足場部１４Ａは、左側脚部１１Ａ、右側脚部１２及び棟脚部１３により三点で支えられることになり安定する。棟脚部１３は、回転可能な車輪であり、上記のようにこれが棟レール４の凹みに収容されることで、棟レール４に沿って移動することができる。側脚部１１Ａ及び１２と同様に、棟脚部１３もまた互いに離間して２個設けられる。
【００３９】
本実施形態の移動足場１Ａは、一対の側レール２１Ａ及び２２の一方である左側レール２１Ａがビニールハウス９Ａの左側側面に接して設けられ、残りの右側レール２２がビニールハウス９Ａの側面側に存在する地面に設けられ、ビニールハウス９Ａの側面に設けられた左側レール２１Ａが下側に凹みを備えたＣ型鋼であり、少なくとも一対の側脚部２１Ａ及び２２のうちこの左側レール２１Ａに案内される左側脚部２１Ａがこの左側レール２１Ａの下側に沿って案内される。これにより、移動足場１Ａでは、作業者が足場１４Ａの右側側面に設けられた梯子を用いて足場上部へ移動する場面においても、右方向への転倒が抑制されて安定する。
【００４０】
以上、本発明の移動足場について実施形態を示して説明したが、本発明は上記の実施形態に何ら限定されるものではなく、本発明の範囲において適宜変更を加えて実施をすることができる。
【００４１】
例えば、上記実施形態では、施工対象である建造物がビニールハウスだったが、これに限定されず、他の建造物であってもよい。
【００４２】
また、上記実施形態では側脚部を案内するレールがＣ型鋼だったが、これに限定されず、鉄道のレールのような他のレールを用いてもよい。この場合、側脚部の形状も用いるレールの形状に合わせたものを採用すればよい。
【符号の説明】
【００４３】
１，１Ａ      移動足場
１１，１１Ａ  左側脚部
１２，１２Ａ  右側脚部
１３          棟脚部
１４，１４Ａ  足場部
２１，２１Ａ  左側レール
２２          右側レール
３１          左側レール基礎
３２          右側レール基礎
４            棟レール
９，９Ａ      ビニールハウス
【図１】
2017066845.tif 000003
【図２】
2017066845.tif 000004
【図３】
2017066845.tif 000005
【図４】
2017066845.tif 000006
【図５】
2017066845.tif 000007